(57)【要約】【課題】干渉縞を実質的に解消することが可能な液晶表示装置を提供する。【解決手段】このＬＣＤユニット１は、表示パネル３０と、表示パネル３０に光を照射するためのＬＥＤ８と、ＬＥＤ８から照射される光を、表示パネル３０に向かって集光させるプリズムシート１１および１２と、プリズムシート１２と表示パネル３０との間に配置される下側偏光板１４とを備える。また、プリズムシート１１は、平面的に見て四角形状の外形線１１ａの所定の１辺１１ｂと実質的に平行な方向に延びるプリズム部１１ｃを有する。また、プリズムシート１２は、平面的に見て四角形状の外形線１２ａの所定の１辺１２ｂと実質的に垂直な方向に延びるプリズム部１２ｃを有する。また、下側偏光板１４の接着層１４ｃは、表示パネル３０と、プリズムシート１１および１２とを透過する光が干渉することにより生じる干渉縞（モアレ）を実質的に解消することが可能な拡散機能を有する。【選択図】図２
2006215390.tif 000002
【特許請求の範囲】
【請求項１】
表示パネルと、
前記表示パネルに光を照射するためのバックライト用光源と、
平面的に見て四角形状の外形線を有するとともに、前記外形線の所定の１辺と実質的に平行または垂直な方向に延びるプリズム部を有するように形成され、前記バックライト用光源から照射される光を、前記表示パネルに向かって集光させるプリズムシートと、
前記表示パネルと前記プリズムシートとの間に配置される偏光板とを備え、
前記偏光板は、前記表示パネルおよび前記プリズムシートを透過する光が干渉することにより生じる干渉縞を実質的に解消することが可能な拡散機能を有する、液晶表示装置。
【請求項２】
前記偏光板は、第１偏光部材と、前記表示パネルと前記第１偏光部材とを接着させるための第１接着層とを少なくとも含み、
前記第１接着層は、粒状の拡散材が含有されることによって、前記表示パネルおよび前記プリズムシートを透過する光が干渉することにより生じる干渉縞を実質的に解消することが可能な拡散機能を有する、請求項１に記載の液晶表示装置。
【請求項３】
前記偏光板は、
前記表示パネル側に配置された第１偏光部材と、
前記プリズムシート側に配置された第２偏光部材と、
前記表示パネルと前記第１偏光部材との間に配置され、前記表示パネルと前記第１偏光部材とを接着させるための第１接着層と、
前記第１偏光部材と前記第２偏光部材との間に配置され、前記第１偏光部材と前記第２偏光部材とを接着させるための第２接着層とを含み、
前記第１接着層および前記第２接着層の少なくとも一方は、粒状の拡散材が含有されることによって、前記表示パネルおよび前記プリズムシートを透過する光が干渉することにより生じる干渉縞を実質的に解消することが可能な拡散機能を有する、請求項１に記載の液晶表示装置。
【請求項４】
前記第２接着層は、粒状の拡散材が含有されることによって、前記表示パネルおよび前記プリズムシートを透過する光が干渉することにより生じる干渉縞を実質的に解消することが可能な拡散機能を有する、請求項３に記載の液晶表示装置。
【請求項５】
前記第１接着層および前記第２接着層は、前記表示パネルおよび前記プリズムシートを透過する光が干渉することにより生じる干渉縞を実質的に解消することが可能な拡散機能を有する拡散材が含有された接着層の中で、実質的に最も小さい拡散機能を有する接着層である、請求項３または４に記載の液晶表示装置。
【請求項６】
前記プリズムシートは、前記外形線の所定の１辺と実質的に平行な方向に所定の間隔を隔てて延びる第１プリズム部を有する第１プリズムシートと、前記外形線の所定の１辺と実質的に垂直な方向に所定の間隔を隔てて延び、かつ、前記第１プリズム部に対して実質的に直交するように配置される第２プリズム部を有する第２プリズムシートとを含み、
前記偏光板は、粒状の拡散材が含有されることによって、前記第１プリズムシート、前記第２プリズムシートおよび前記表示パネルを透過する光が干渉することにより生じる干渉縞を実質的に解消することが可能な拡散機能を有する、請求項１〜５のいずれか１項に記載の液晶表示装置。
【請求項７】
前記プリズムシートに向かって光を導くための導光板をさらに備え、
前記バックライト用光源は、前記導光板の側端部側に配置される発光ダイオードを含み、
前記偏光板は、粒状の拡散材が含有されることによって、前記発光ダイオードから前記導光板を介して照射される光が、前記プリズムシートおよび前記表示パネルを透過して干渉することにより生じる干渉縞を実質的に解消することが可能な拡散機能を有する、請求項１〜６のいずれか１項に記載の液晶表示装置。
【発明の詳細な説明】
【技術分野】
【０００１】
この発明は、液晶表示装置に関し、特に、プリズムシートおよび偏光板を備えた液晶表示装置に関する。
【背景技術】
【０００２】
従来、プリズムシートを備えた液晶表示装置が知られている（たとえば、特許文献１参照）。上記特許文献１には、バックライト装置から照射される光を集光するための２枚のプリズムシートと液晶セル（表示パネル）とを備えた液晶表示装置が開示されている。この特許文献１に開示された液晶表示装置では、２枚のプリズムシートの断面三角形状のプリズム部の稜線が互いに直交するように配置されており、プリズム部の頂角、ピッチおよびプリズムシートの屈折率を変えることによって、プリズムシートから出射される光の出射角度を調整している。
【０００３】
図１１は、従来の一例によるＬＣＤ（Ｌｉｑｕｉｄ  Ｃｒｙｓｔａｌ  Ｄｉｓｐｌａｙ）ユニットを示した斜視図である。図１２は、図１１の３００−３００線に沿った断面図である。図１３は、図１１に示した従来のＬＣＤユニットの分解斜視図である。図１１〜図１３を参照して、従来のＬＣＤユニット１００の構造について説明する。
【０００４】
従来のＬＣＤユニット１００は、図１１に示すように、金属製の上側フレーム１０１および下側フレーム１０２と、上側フレーム１０１および下側フレーム１０２の内部に配置される上側偏光板１０３と、パネル用フレキシブルプリント配線板（パネル用ＦＰＣ）１０４とを備えている。
【０００５】
また、金属製の下側フレーム１０２は、図１３に示すように、底面部１０２ａと、底面部１０２ａの４辺から上方向に延びるように形成される４つの側面部１０２ｂとを含んでいる。この側面部１０２ｂには、複数の突起部１０２ｃが外側に向かって突出するように設けられている。また、パネル用ＦＰＣ１０４が配置される側の下側フレーム１０２の側面部１０２ｂには、切欠部１０２ｄが形成されている。また、下側フレーム１０２の底面部１０２ａの上側には、反射シート１０５が配置されている。また、反射シート１０５の上側には、底部に開口部１０６ａを有する樹脂製フレーム１０６が設けられている。この樹脂製フレーム１０６の下側フレーム１０２の切欠部１０２ｄに対応する部分には、パネル用ＦＰＣ１０４が挿入されるＦＰＣ挿入部１０６ｂが形成されている。
【０００６】
また、樹脂製フレーム１０６の内部には、図１２および図１３に示すように、下から順番に、発光ダイオード（ＬＥＤ）１０７から照射される光を上方に導くための導光板１０８と、拡散シート１０９と、プリズムシート１１０および１１１とが配置されている。この拡散シート１０９は、導光板１０８からの光を上側に透過するとともに、拡散する機能を有している。また、プリズムシート１１０および１１１は、拡散シート１０９により拡散された光を上側に透過するとともに、集光する機能を有する。このプリズムシート１１０および１１１は、図１３に示すように、平面的に見て四角形状の外形線１１０ａおよび１１１ａを有している。また、プリズムシート１１０には、プリズムシート１１０の外形線１１０ａの１辺１１０ｂと実質的に平行な方向（図１３のＡ方向）に延びるプリズム部１１０ｃが設けられている。このプリズム部１１０ｃは、所定の間隔を隔てて複数形成されている。また、プリズムシート１１１には、プリズムシート１１１の外形線１１１ａの１辺１１１ｂと実質的に垂直な方向（図１３のＢ方向）に延びるプリズム部１１１ｃが設けられている。このプリズム部１１１ｃは、所定の間隔を隔てて複数形成されている。また、プリズムシート１１０および１１１は、平面的に見て、プリズムシート１１０のプリズム部１１０ｃおよびプリズムシート１１１のプリズム部１１１ｃが、互いに直交する方向に延びるように配置されている。
【０００７】
また、図１２に示すように、導光板１０８の上面には、図示しない両面テープによりバックライト用フレキシブルプリント配線板（バックライト用ＦＰＣ）１１２が取り付けられている。このバックライト用ＦＰＣ１１２には、樹脂製フレーム１０６のＦＰＣ挿入部１０６ｂから外側に突出するようにコネクタ差込部１１２ａ（図１３参照）が設けられている。また、バックライト用ＦＰＣ１１２には、図１３に示すように、導光板１０８に光を照射するＬＥＤ１０７が複数取り付けられている。
【０００８】
また、図１２および図１３に示すように、プリズムシート１１１の上側には、下側偏光板１１３が配置されている。この下側偏光板１１３は、偏光子１１３ａと接着層１１３ｂとを含んでいる。また、下側偏光板１１３と、上記した上側偏光板１０３との間には、下側ガラス基板１１４および上側ガラス基板１１５により構成される表示パネル１２０が配置されている。また、下側偏光板１１３の偏光子１１３ａは、図１２に示すように、表示パネル１２０の下側に、下側偏光板１１３の接着層１１３ｂを介して取り付けられている。また、表示パネル１２０には、図示しない画素がマトリクス状に配列されている。
【０００９】
また、図１２および図１３に示すように、下側ガラス基板１１４の突出部１１４ａの上面には、表示パネル１２０を駆動するための駆動ＩＣ（Ｉｎｔｅｇｒａｔｅｄ  Ｃｉｒｃｕｉｔ）１１６およびパネル用ＦＰＣ１０４が取り付けられている。また、パネル用ＦＰＣ１０４は、駆動ＩＣ１１６に電気的に接続されている。
【００１０】
また、パネル用ＦＰＣ１０４の外側に突出した部分には、図１３に示すように、複数の電子部品１１７が取り付けられる電子部品取付部１０４ａが設けられている。また、電子部品取付部１０４ａには、バックライト用ＦＰＣ１１２のコネクタ差込部１１２ａが接続されるコネクタ部１１８が取り付けられている。また、電子部品取付部１０４ａの先端側には、コネクタ差込部１０４ｂが設けられている。
【００１１】
また、図１３に示すように、上側偏光板１０３の上側には、金属製の上側フレーム１０１が配置されている。この上側フレーム１０１は、開口部１０１ａを有する上面部１０１ｂと、上面部１０１ｂの４辺から下方向に延びるように形成される側面部１０１ｃとを含んでいる。この上側フレーム１０１の開口部１０１ａは、表示パネル１２０の表示領域に対応する部分に設けられている。また、上側フレーム１０１の側面部１０１ｃには、下側フレーム１０２の複数の突起部１０２ｃが挿入される複数の挿入孔１０１ｄが設けられている。また、側面部１０１ｃには、下側フレーム１０２の切欠部１０２ｄに対応する位置に切欠部１０１ｅが設けられている。この下側フレーム１０２の切欠部１０２ｄおよび上側フレーム１０１の切欠部１０１ｅによって構成される開口部を介して、図１１に示すように、パネル用ＦＰＣ１０４およびバックライト用ＦＰＣ１１２が、外部に突出するように配置されている。
【００１２】
【特許文献１】特開２００１−２９０１４２号公報
【発明の開示】
【発明が解決しようとする課題】
【００１３】
図１１〜図１３に示した従来のＬＣＤユニット１００では、プリズムシート１１０を透過した光は、プリズムシート１１０に設けられたプリズム部１１０ｃと同じ間隔を有する明暗の縞を含んだ状態で、プリズムシート１１０の上側に配置されるプリズムシート１１１に向かって進行する。そして、明暗の縞を含んだ光は、プリズムシート１１１のプリズム部１１１ｃを通過する際に、干渉されて、明暗の干渉縞（モアレ）を含む。これにより、この明暗の干渉縞を含む光が、表示パネル１２０を透過する際に、表示パネル１２０のマトリクス状に配置される画素（図示せず）と干渉するため、プリズム部１１０ｃおよび１１１ｃの間隔や、表示パネル１２０の画素の間隔とは異なる間隔を有する明暗の干渉縞（モアレ）が、表示パネル１２０に生じるという問題点があった。
【００１４】
また、上記特許文献１に開示された液晶表示装置では、バックライト装置から照射され、２枚のプリズムシートを透過した光は、図１１〜図１３に示した従来のＬＣＤユニット１００と同様に、プリズムシートのプリズム部とは異なる間隔を有する明暗の干渉縞（モアレ）を含んだ状態で、液晶セルに向かって進行する。これにより、この明暗の干渉縞を含む光が、液晶セルを透過する際に、通常マトリクス状に配列される液晶セルの画素と干渉するため、プリズム部の間隔や液晶セルの画素の間隔とは異なる間隔を有する明暗の干渉縞が、液晶セルに生じるという問題点がある。
【００１５】
この発明は、上記のような課題を解決するためになされたものであり、この発明の１つの目的は、干渉縞を実質的に解消することが可能な液晶表示装置を提供することである。
【課題を解決するための手段および発明の効果】
【００１６】
上記目的を達成するために、この発明の一の局面による液晶表示装置は、表示パネルと、表示パネルに光を照射するためのバックライト用光源と、平面的に見て四角形状の外形線を有するとともに、外形線の所定の１辺と実質的に平行または垂直な方向に延びるプリズム部を有するように形成され、バックライト用光源から照射される光を、表示パネルに向かって集光させるプリズムシートと、表示パネルとプリズムシートとの間に配置される偏光板とを備え、偏光板は、表示パネルおよびプリズムシートを透過する光が干渉することにより生じる干渉縞を実質的に解消することが可能な拡散機能を有する。
【００１７】
この一の局面による液晶表示装置では、上記のように、表示パネルとプリズムシートとの間に表示パネルおよびプリズムシートを透過する光が干渉することにより生じる干渉縞を実質的に解消することが可能な拡散機能を有する偏光板を設けることによって、プリズムシートを透過した光が、プリズムシートのプリズム部を透過することにより、明暗の干渉縞（モアレ）を含んだ状態で、表示パネルに向かって進行する場合でも、この明暗の干渉縞を含んだ光を、偏光板により、明暗の差を減少させるように拡散させることができる。これにより、明暗の差が減少された光を、表示パネルに配列される画素に透過させることができるので、表示パネルに干渉縞が形成されるのを実質的に解消することができる。また、プリズムシートと表示パネルとの間に拡散機能を有する偏光板を配置することによって、プリズムシートを透過した光を表示パネルに向かって拡散させることができるので、観察側から表示パネルを見る際の視野角度を広げることができる。
【００１８】
上記一の局面による液晶表示装置において、好ましくは、偏光板は、第１偏光部材と、表示パネルと第１偏光部材とを接着させるための第１接着層とを少なくとも含み、第１接着層は、粒状の拡散材が含有されることによって、表示パネルおよびプリズムシートを透過する光が干渉することにより生じる干渉縞を実質的に解消することが可能な拡散機能を有する。このように構成すれば、明暗の干渉縞（モアレ）を含んだ光を、偏光板の第１接着層に含有される粒状の拡散材により、容易に、明暗の差を減少させるよう拡散させることができる。これにより、明暗の差が減少された光を、表示パネルに配列される画素に透過させることができるので、容易に、表示パネルに干渉縞が形成されるのを実質的に解消することができる。また、表示パネルと第１偏光部材との間に第１接着層を配置することによって、表示パネルに入射する直前の位置で、明暗の干渉縞を含んだ光を拡散させることができるので、容易に、表示パネルに干渉縞が形成されるのを実質的に解消することができる。また、第１接着層を、表示パネルと第１偏光部材との間に配置することによって、外部から表示パネルを透過した光を、第１接着層により反射させることができるので、外部からの光を利用して表示パネルに照射される光の輝度を向上させることができる。
【００１９】
上記一の局面による液晶表示装置において、好ましくは、偏光板は、表示パネル側に配置された第１偏光部材と、プリズムシート側に配置された第２偏光部材と、表示パネルと第１偏光部材との間に配置され、表示パネルと第１偏光部材とを接着させるための第１接着層と、第１偏光部材と第２偏光部材との間に配置され、第１偏光部材と第２偏光部材とを接着させるための第２接着層とを含み、第１接着層および第２接着層の少なくとも一方は、粒状の拡散材が含有されることによって、表示パネルおよびプリズムシートを透過する光が干渉することにより生じる干渉縞を実質的に解消することが可能な拡散機能を有する。このように構成すれば、プリズムシートを透過した光が、プリズムシートのプリズム部を透過することにより、明暗の干渉縞（モアレ）を含んだ状態で、第１偏光部材および第２偏光部材を介して、表示パネルに向かって進行する場合でも、この明暗の干渉縞を含んだ光を、第１接着層または第２接着層の少なくとも一方に含有される粒状の拡散材によって、明暗の差を減少させるように拡散させることができる。これにより、明暗の差が減少された光を、表示パネルに配列される画素に透過させることができるので、表示パネルに干渉縞が形成されるのを実質的に解消することができる。
【００２０】
この場合、好ましくは、第２接着層は、粒状の拡散材が含有されることによって、表示パネルおよびプリズムシートを透過する光が干渉することにより生じる干渉縞を実質的に解消することが可能な拡散機能を有する。このように構成すれば、第２接着層により拡散された拡散光を、第１偏光部材に透過させることにより、所定の偏光特性を有した状態で、表示パネルに進行させることができる。これにより、接着層を透過した拡散光を、直接表示パネルに入射させる場合に比べて、拡散光が拡散しすぎるのを抑制することができる。その結果、表示パネルに表示される映像の黒色を表現する部分に、拡散光が入射するのを抑制することができるので、表示パネルに生じる干渉縞（モアレ）を実質的に解消したとしても、映像のコントラストが低下するのを抑制することができる。
【００２１】
また、第１接着層および第２接着層を有する偏光板を備えた液晶表示装置において、好ましくは、第１接着層および第２接着層は、表示パネルおよびプリズムシートを透過する光が干渉することにより生じる干渉縞を実質的に解消することが可能な拡散機能を有する拡散材が含有された接着層の中で、実質的に最も小さい拡散機能を有する接着層である。このように構成すれば、既存の拡散材を含有する接着層の中で拡散機能が最も小さい接着層を用いることにより、表示パネルに生じる干渉縞を実質的に解消することができる。その結果、プリズムシートを透過して、表示パネルに向かって進行する光を第１接着層または第２接着層により拡散させたとしても、光の拡散度合いを必要最小限にすることができるので、表示パネルから出射される光の輝度が低下するのを抑制することができる。
【００２２】
上記一の局面による液晶表示装置において、好ましくは、プリズムシートは、外形線の所定の１辺と実質的に平行な方向に所定の間隔を隔てて延びる第１プリズム部を有する第１プリズムシートと、外形線の所定の１辺と実質的に垂直な方向に所定の間隔を隔てて延び、かつ、第１プリズム部に対して実質的に直交するように配置される第２プリズム部を有する第２プリズムシートとを含み、偏光板は、粒状の拡散材が含有されることによって、第１プリズムシート、第２プリズムシートおよび表示パネルを透過する光が干渉することにより生じる干渉縞を実質的に解消することが可能な拡散機能を有する。このように構成すれば、第１プリズムシートおよび第２プリズムシートを透過した光が、第１プリズムシートおよび第２プリズムシートの所定の間隔を隔てて形成される第１プリズム部および第２プリズム部を透過することにより、明暗の干渉縞（モアレ）を含んだ状態で、表示パネルに向かって進行する場合でも、この明暗の干渉縞を含んだ光を、粒状の拡散材が含有される偏光板により、明暗の差を減少させるように拡散させることができる。これにより、明暗の差が減少された光を、表示パネルに配列される画素に透過させることができるので、表示パネルに干渉縞が形成されるのを実質的に解消することができる。
【００２３】
上記一の局面による液晶表示装置において、好ましくは、プリズムシートに向かって光を導くための導光板をさらに備え、バックライト用光源は、導光板の側端部側に配置される発光ダイオードを含み、偏光板は、粒状の拡散材が含有されることによって、発光ダイオードから導光板を介して照射される光が、プリズムシートおよび表示パネルを透過して干渉することにより生じる干渉縞を実質的に解消することが可能な拡散機能を有する。このように構成すれば、発光ダイオードから照射され、導光板を介して、プリズムシートを透過した光が、プリズムシートの所定の間隔を隔てて形成されるプリズム部を透過することにより、明暗の干渉縞（モアレ）を含んだ状態で、表示パネルに向かって進行する場合でも、この明暗の干渉縞を含んだ光を、粒状の拡散材が含有される偏光板により、明暗の差を減少させるように拡散させることができる。これにより、明暗の差が減少された光を、表示パネルに配列される画素に透過させることができるので、表示パネルに干渉縞が形成されるのを実質的に解消することができる。
【発明を実施するための最良の形態】
【００２４】
以下、本発明を具体化した実施形態を図面に基づいて説明する。
【００２５】
（第１実施形態）
図１は、本発明の第１実施形態によるＬＣＤユニットを示した斜視図である。図２は、図１の２００−２００線に沿った断面図である。図３は、図１に示した本発明の第１実施形態によるＬＣＤユニットの分解斜視図である。図４〜図６は、図１に示した本発明の第１実施形態によるＬＣＤユニットの詳細構造を説明するための図である。図１〜図６を参照して、本発明の第１実施形態によるＬＣＤユニット１の構造について説明する。なお、第１実施形態では、本発明の液晶表示装置をＬＣＤユニット１に適用した例について説明する。
【００２６】
本発明の第１実施形態によるＬＣＤユニット１は、図１に示すように、金属製の上側フレーム２および下側フレーム３と、上側フレーム２および下側フレーム３の内部に配置される上側偏光板４と、パネル用フレキシブルプリント配線板（パネル用ＦＰＣ）５とを備えている。
【００２７】
また、金属製の下側フレーム３は、図３に示すように、底面部３ａと、底面部３ａの４辺から上方向に延びるように形成される４つの側面部３ｂとを含んでいる。この側面部３ｂには、複数の突起部３ｃが外側に向かって突出するように設けられている。また、パネル用ＦＰＣ５が配置される側の下側フレーム３の側面部３ｂには、切欠部３ｄが形成されている。また、下側フレーム３の底面部３ａの上側には、反射シート６が配置されている。また、反射シート６の上側には、底部に開口部７ａを有する樹脂製フレーム７が設けられている。この樹脂製フレーム７の下側フレーム３の切欠部３ｄに対応する部分には、パネル用ＦＰＣ５が挿入されるＦＰＣ挿入部７ｂが形成されている。
【００２８】
また、樹脂製フレーム７の内部には、図２および図３に示すように、下から順番に、後述するＬＥＤ８からの光を上方に導くための導光板９と、拡散シート１０と、プリズムシート１１および１２とが配置されている。また、拡散シート１０は、ＬＥＤ８から導光板９を介して照射される光をプリズムシート１１および１２に向かって均一に拡散させる機能を有している。なお、プリズムシート１１は、本発明の「第１プリズムシート」の一例であり、プリズムシート１２は、本発明の「第２プリズムシート」の一例である。
【００２９】
また、プリズムシート１１および１２は、導光板９からの光を上側に透過するとともに、集光する機能を有する。このプリズムシート１１および１２は、図３に示すように、平面的に見て四角形状の外形線１１ａおよび１２ａを有している。また、プリズムシート１１には、プリズムシート１１の外形線１１ａの１辺１１ｂと実質的に平行な方向（図３のＣ方向）に延びる断面三角形状のプリズム部１１ｃが設けられている。このプリズム部１１ｃは、Ｄ１の間隔を隔てて複数形成されている。また、プリズムシート１２には、図３および図４に示すように、プリズムシート１２の外形線１２ａの１辺１２ｂと実質的に垂直な方向（図３および図４のＤ方向）に延びる断面三角形状のプリズム部１２ｃが設けられている。このプリズム部１２ｃは、プリズム部１１ｃと同様に、Ｄ１の間隔を隔てて複数形成されている。このように、平面的に見て、プリズムシート１１のプリズム部１１ｃの延びる方向（図３のＣ方向）と、プリズムシート１２のプリズム部１２ｃの延びる方向（図３および図４のＤ方向）とが実質的に直交するように、プリズムシート１１および１２を配置することによって、拡散シート１０により拡散される光の集光効率を向上させることが可能となる。なお、プリズム部１１ｃは、本発明の「第１プリズム部」の一例であり、プリズム部１２ｃは、本発明の「第２プリズム部」の一例である。
【００３０】
また、図２に示すように、導光板９の上面には、図示しない両面テープによりバックライト用フレキシブルプリント配線板（バックライト用ＦＰＣ）１３が取り付けられている。このバックライト用ＦＰＣ１３には、樹脂製フレーム７のＦＰＣ挿入部７ｂから外側に突出するように延びる外部接続部が設けられているとともに、その外部接続部の先端部分には、コネクタ差込部１３ａ（図３参照）が設けられている。また、図３に示すように、バックライト用ＦＰＣ１３には、導光板９に光を照射するＬＥＤ８が複数（本実施形態では４個）取り付けられている。また、４個のＬＥＤ８は、導光板９に向かって光を照射するように導光板９の側端部側に配置されている。なお、ＬＥＤ８は、本発明の「バックライト用光源」の一例である。
【００３１】
また、プリズムシート１２の上面側には、プリズムシート１２と後述する下側偏光板１４とを接着させるための接着部材１５が接着されている。この接着部材１５は、プリズムシート１２の縁部に沿った周辺部分を覆うように接着されており、ＬＣＤユニット１の表示領域に対応する部分に開口部１５ａが設けられている。
【００３２】
また、プリズムシート１２および接着部材１５の上側には、図２および図３に示すように、下側偏光板１４が配置されている。また、下側偏光板１４と上記した上側偏光板４との間には、下側ガラス基板１６および上側ガラス基板１７からなる表示パネル３０が配置されている。なお、下側偏光板１４は、本発明の「偏光板」の一例である。
【００３３】
また、図５および図６に示すように、下側偏光板１４は、表示パネル３０側に配置された偏光子１４ａと、プリズムシート１２側に配置されたＰＥＴ（ポリエチレンテレフタレート）製のＤＢＥＦ（Ｄｕａｌ  Ｂｒｉｇｈｔｎｅｓｓ  Ｅｎｈａｎｃｅｍｅｎｔ  Ｆｉｌｍ）１４ｂとを含んでいる。また、偏光子１４ａは、表示パネル３０の下側ガラス基板１６と偏光子１４ａとの間に配置される接着層１４ｃにより、表示パネル３０の下側ガラス基板１６に取り付けられている。また、ＤＢＥＦ１４ｂは、偏光子１４ａとＤＢＥＦ１４ｂとの間に配置される接着層１４ｄにより、偏光子１４ａに取り付けられている。また、偏光子１４ａおよびＤＢＥＦ１４ｂは、それぞれ、ｔ１（約１１０μｍ）およびｔ２（約１１０μｍ）の厚みを有している。また、接着層１４ｃおよび１４ｄは、それぞれ、ｔ３（約２０μｍ〜約２５μｍ）およびｔ４（約２０μｍ〜約２５μｍ）の厚みを有している。また、偏光子１４ａは、ＬＥＤ８から導光板９、ＤＢＥＦ１４ｂを介して照射された光を、偏光特性を持った光として出射させる機能有している。また、ＤＢＥＦ１４ｂは、ＬＥＤ８から導光板９を介して照射された光のうち、Ｐ波またはＳ波のいずれか一方を透過するとともに、他方を反射して、反射された光を再び再利用する機能を有している。なお、偏光子１４ａは、本発明の「第１偏光部材」の一例であり、ＤＢＥＦ１４ｂは、本発明の「第２偏光部材」の一例である。また、接着層１４ｃは、本発明の「第１接着層」の一例であり、接着層１４ｄは、本発明の「第２接着層」の一例である。
【００３４】
ここで、第１実施形態では、アクリル系樹脂からなる接着層１４ｃに、約１．５μｍ〜約４．５μｍの大きさの粒径を有する拡散材が含有されている。また、拡散材を含む接着層１４ｃは、表示パネル３０と、プリズムシート１１および１２とを透過する光が干渉することにより生じる干渉縞（モアレ）を実質的に解消することが可能な８０％のヘイズ率を有する。また、拡散材を含む接着層１４ｃは、市販されている４種の接着層（ヘイズ率：３４％、４５％、６０％、８０％）の中で、表示パネル３０に生じる干渉縞（モアレ）を実質的に解消することが可能な最も小さいヘイズ率を有する接着層が用いられる。つまり、接着層１４ｃに、ヘイズ率の低い接着層（ヘイズ率：３４％）から順番に適用していき、ヘイズ率８０％の接着層を適用した場合に、表示パネル３０に生じる干渉縞（モアレ）が実質的に解消されたので、第１実施形態の接着層１４ｃでは、ヘイズ率８０％の接着層が用いられている。なお、ヘイズ率とは、試験片を通過する透過光のうち散乱によって、入射光から２．５°以上それた透過光の百分率で表わされる。また、ヘイズ率は、本発明の「拡散機能」を表わす指標として用いている。
【００３５】
また、表示パネル３０の各画素３０ａは、図５に示すように、画素３０ａが互いに半画素分ずれた位置に配列されるデルタ配列になるように配列されている。この表示パネル３０の画素３０ａは、それぞれ、Ｄ２（約１０μｍ〜約７０μｍ）×Ｄ３（約３０μｍ〜約１５０μｍ）の大きさを有している。また、下側ガラス基板１６と上側ガラス基板１７との間には、液晶が封入されている。また、下側ガラス基板１６には、薄膜トランジスタ（図示せず）が形成されている。
【００３６】
また、図２および図３に示すように、下側ガラス基板１６の突出部１６ａの上面には、表示パネル３０を駆動するための駆動ＩＣ１８およびパネル用ＦＰＣ５が取り付けられている。また、パネル用ＦＰＣ５は、駆動ＩＣ１８に電気的に接続されている。
【００３７】
また、パネル用ＦＰＣ５の外側に突出した部分には、図２に示すように、複数の電子部品１９が取り付けられる電子部品取付部５ａが設けられている。また、電子部品取付部５ａには、バックライト用ＦＰＣ１３のコネクタ差込部１３ａが接続されるコネクタ部２０が取り付けられている。また、電子部品取付部５ａの先端側には、コネクタ差込部５ｂが設けられている。
【００３８】
また、上側偏光板４の上側には、図２および図３に示すように、金属製の上側フレーム２が配置されている。この上側フレーム２は、図３に示すように、開口部２ａを有する上面部２ｂと、上面部２ｂの４辺から下方向に延びるように形成される４つの側面部２ｃとを含んでいる。この上側フレーム２の開口部２ａは、表示パネル３０の表示領域に対応する部分に設けられている。また、上側フレーム２の側面部２ｃには、下側フレーム３の複数の突起部３ｃが挿入される複数の挿入孔２ｄが設けられている。また、側面部２ｃには、下側フレーム３の切欠部３ｄに対応する位置に切欠部２ｅが設けられている。この下側フレーム３の切欠部３ｄおよび上側フレーム２の切欠部２ｅによって構成される開口部を介して、図１に示すように、パネル用ＦＰＣ５およびバックライト用ＦＰＣ１３が、外部に突出するように配置されている。
【００３９】
第１実施形態では、上記のように、表示パネル３０の下側ガラス基板１６とプリズムシート１２との間に、表示パネル３０とプリズムシート１１および１２とを透過する光が干渉することにより生じる干渉縞（モアレ）を実質的に解消することが可能な拡散機能を有する下側偏光板１４を設けることによって、ＬＥＤ８から導光板９を介して、プリズムシート１１および１２を透過した光が、プリズムシート１１のプリズム部１１ｃおよびプリズムシート１２のプリズム部１２ｃを透過することにより、明暗の干渉縞（モアレ）を含んだ状態で、表示パネル３０に向かって進行する場合でも、この明暗の干渉縞を含んだ光を、約１．５μｍ〜約４．５μｍの大きさの粒径を有する拡散材が含有された接着層１４ｃにより、明暗の差を減少させるように拡散させることができる。これにより、明暗の差が減少された光を、表示パネル３０にデルタ配列される画素３０ａに透過させることができるので、表示パネル３０に干渉縞が形成されるのを実質的に解消することができる。
【００４０】
また、第１実施形態では、プリズムシート１２と表示パネル３０の下側ガラス基板１６との間に拡散機能を有する接着層１４ｃを配置することによって、プリズムシート１１および１２を透過した光を表示パネル３０に向かって拡散させることができるので、観察側から表示パネル３０を見る際の視野角度を広げることができる。
【００４１】
また、第１実施形態では、拡散材が含有された接着層１４ｃを表示パネル３０の下側ガラス基板１６と偏光子１４ａとの間に配置することによって、外部から表示パネル３０を透過した光を、接着層１４ｃにより反射させることができるので、外部からの光を利用して表示パネル３０に照射される光の輝度を向上させることができる。
【００４２】
（第２実施形態）
図７は、本発明の第２実施形態によるＬＣＤユニットの断面図である。図８は、本発明の第２実施形態によるＬＣＤユニットの下側偏光板の拡大断面図である。図７および図８を参照して、この第２実施形態では、上記第１実施形態と異なり、下側偏光板の偏光子とＤＢＥＦとを接着させるための接着層に拡散材が含有されている例について説明する。なお、下側偏光板以外の構造は、上記第１実施形態と同様であるのでその説明を省略する。
【００４３】
この第２実施形態によるＬＣＤユニット５０では、図７および図８に示すように、下側偏光板６４は、表示パネル３０側に配置された偏光子６４ａと、プリズムシート１２側に配置されたＰＥＴ製のＤＢＥＦ６４ｂとを含んでいる。なお、下側偏光板６４は、本発明の「偏光板」の一例である。また、偏光子６４ａは、表示パネル３０の下側ガラス基板１６と偏光子６４ａとの間に配置されるアクリル系樹脂からなる接着層６４ｃにより、表示パネル３０の下側ガラス基板１６に取り付けられている。また、ＤＢＥＦ６４ｂは、偏光子６４ａとＤＢＥＦ６４ｂとの間に配置されるアクリル系樹脂からなる接着層６４ｄにより、偏光子６４ａに取り付けられている。なお、偏光子６４ａは、本発明の「第１偏光部材」の一例であり、ＤＢＥＦ６４ｂは、本発明の「第２偏光部材」の一例である。また、接着層６４ｃは、本発明の「第１接着層」の一例であり、接着層６４ｄは、本発明の「第２接着層」の一例である。
【００４４】
ここで、第２実施形態では、偏光子６４ａとＤＢＥＦ６４ｂとの間に配置されるアクリル系樹脂からなる接着層６４ｄに、約１．５μｍ〜約４．５μｍの大きさの粒径を有する拡散材が含有されている。また、拡散材を含む接着層６４ｄは、表示パネル３０と、プリズムシート１１および１２とを透過する光が干渉することにより生じる干渉縞（モアレ）を実質的に解消することが可能な４５％のヘイズ率を有する。また、拡散材を含む接着層６４ｄは、市販されている４種の接着層（ヘイズ率：３４％、４５％、６０％、８０％）の中で、表示パネル３０に生じる干渉縞（モアレ）を実質的に解消することが可能な最も小さいヘイズ率を有する接着層が用いられる。つまり、接着層６４ｄに、ヘイズ率の低い接着層（ヘイズ率：３４％）から順番に適用していき、ヘイズ率４５％の接着層を適用した場合に、表示パネル３０に生じる干渉縞（モアレ）が実質的に解消されたので、第２実施形態の接着層６４ｄでは、ヘイズ率４５％の接着層６４ｄが用いられている。
【００４５】
第２実施形態では、上記のように、偏光子６４ａとＤＢＥＦ６４ｂとの間に配置される接着層６４ｄに、粒状の拡散材を含有させることによって、接着層６４ｄに、表示パネル３０およびプリズムシート１２を透過する光が干渉することにより生じる干渉縞を実質的に解消することが可能な拡散機能を持たせることができる。また、偏光子６４ａとＤＢＥＦ６４ｂとの間に拡散機能を有する接着層６４ｄを配置することによって、接着層６４ｄを透過した拡散光を、偏光子６４ａに透過させることができるので、所定の偏光特性を有した状態で、表示パネル３０に進行させることができる。これにより、接着層６４ｄにより拡散された拡散光を、直接表示パネル３０に入射させる場合に比べて、拡散光が拡散しすぎるのを抑制することができる。その結果、表示パネル３０に表示される映像の黒色を表現する部分に、拡散光が入射するのを抑制することができるので、表示パネル３０に生じる干渉縞（モアレ）を実質的に解消したとしても、映像のコントラストが低下するのを抑制することができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記第１実施形態では、下側偏光板１４が偏光子１４ａとＤＢＥＦ１４ｂと接着層１４ｃおよび１４ｄとを含む例を示したが、本発明はこれに限らず、図９に示した本発明の第１実施形態の変形例のように、下側偏光板７４を、偏光子７４ａと、接着層７４ｂとのみを含むように構成してもよい。
【００４８】
また、上記第１および第２実施形態では、下側偏光板１４（６４）の接着層１４ｃ（６４ｃ）および１４ｄ（６４ｄ）のいずれか一方のみに拡散材が含まれる例を示したが、本発明はこれに限らず、図１０に示した変形例のように、下側偏光板８４の接着層８４ｃおよび８４ｄの両方の層に、拡散材が含有されていてもよい。
【００４９】
また、上記第１実施形態では、外形線の所定の１辺に平行または垂直な方向に延びるプリズム部を有するプリズムシートを２枚設ける例を示したが、本発明はこれに限らず、外形線の所定の１辺に平行または垂直な方向に延びるプリズム部を有するプリズムシートを１枚のみ設けてもよい。
【００５０】
また、上記第１実施形態では、バックライト光源としてＬＥＤ（発光ダイオード）を設ける例を示したが、本発明はこれに限らず、バックライト光源として陰極管などの光源を用いてもよい。
【００５１】
また、上記第１実施形態では、ＬＥＤを４個設けた例を示したが、本発明はこれに限らず、ＬＥＤを３個以下または５個以上設けてもよい。
【図面の簡単な説明】
【００５２】
【図１】本発明の第１実施形態によるＬＣＤユニットの全体構成を示した斜視図である。
【図２】図１に示した２００−２００線に沿った断面図である。
【図３】図１に示した本発明の第１実施形態によるＬＣＤユニットの分解斜視図である。
【図４】図１に示した本発明の第１実施形態によるＬＣＤユニットのプリズムシートの拡大斜視図である。
【図５】図１に示した本発明の第１実施形態によるＬＣＤユニットの表示パネルおよび偏光板の拡大斜視図である。
【図６】図１に示した本発明の第１実施形態によるＬＣＤユニットの下側偏光板の拡大断面図である。
【図７】本発明の第２実施形態によるＬＣＤユニットの断面図である。
【図８】図７に示した本発明の第２実施形態によるＬＣＤユニットの下側偏光板の拡大断面図である。
【図９】本発明の第１実施形態によるＬＣＤユニットの変形例を示した断面図である。
【図１０】本発明の第１実施形態および第２実施形態によるＬＣＤユニットの変形例を示した断面図である。
【図１１】従来の一例によるＬＣＤユニットの全体構成を示した斜視図である。
【図１２】図１１の３００−３００線に沿った断面図である。
【図１３】図１１に示した従来のＬＣＤユニットの分解斜視図である。
【符号の説明】
【００５３】
８  ＬＥＤ（バックライト用光源）
９  導光板
１１  プリズムシート（第１プリズムシート）
１１ａ  外形線
１１ｂ  １辺
１１ｃ  プリズム部（第１プリズム部）
１２  プリズムシート（第２プリズムシート）
１２ａ  外形線
１２ｂ  １辺
１２ｃ  プリズム部（第２プリズム部）
１４、６４  下側偏光板（偏光板）
１４ａ、６４ａ  偏光子（第１偏光部材）
１４ｂ、６４ｂ  ＤＢＥＦ（第２偏光部材）
１４ｃ、６４ｃ  接着層（第１接着層）
１４ｄ、６４ｄ  接着層（第２接着層）
３０  表示パネル
【図１】
2006215390.tif 000003
【図２】
2006215390.tif 000004
【図３】
2006215390.tif 000005
【図４】
2006215390.tif 000006
【図５】
2006215390.tif 000007
【図６】
2006215390.tif 000008
【図７】
2006215390.tif 000009
【図８】
2006215390.tif 000010
【図９】
2006215390.tif 000011
【図１０】
2006215390.tif 000012
【図１１】
2006215390.tif 000013
【図１２】
2006215390.tif 000014
【図１３】
2006215390.tif 000015